(57)【要約】【課題】  無線伝送路を介して高ビットレートの映像データ等を伝送可能なデータ伝送システムに関し、特に、解像度の異なる複数の出力手段のそれぞれに対して最適な解像度の映像データを伝送可能なデータ伝送システムを提供する。【解決手段】  所定の解像度を有する映像データが格納されたコンテンツ提供手段と、コンテンツ提供手段から映像データを提供されるサーバ機器と、サーバ機器に伝送路を介して通信可能に接続された複数のクライアント機器と、複数のクライアント機器と一対一に設けられた出力手段と、で構成されるデータ伝送システムにおいて、サーバ機器は、映像データの解像度を２以上の所定の解像度に同時に変換可能な解像度変換手段と、解像度変換手段を制御する解像度制御手段と、を備え、解像度制御手段は、映像データを要求してきた出力手段の解像度に基づいて、解像度変換手段を制御するようにした【選択図】  図２
2006270690.tif 000002
【特許請求の範囲】
【請求項１】
所定の解像度を有する映像データが格納されたコンテンツ提供手段と、
上記コンテンツ提供手段から映像データを提供されるサーバ機器と、
上記サーバ機器に伝送路を介して通信可能に接続された複数のクライアント機器と、
上記複数のクライアント機器と一対一に設けられた出力手段と、で構成されるデータ伝送システムにおいて、
上記サーバ機器は、上記映像データの解像度を２以上の所定の解像度に同時に変換可能な解像度変換手段と、上記解像度変換手段を制御する解像度制御手段と、上記複数の出力手段の解像度データを格納する解像度記憶手段と、上記クライアント機器に接続された出力手段の解像度を取得する解像度データ取得手段と、を備え、
上記解像度データ取得手段は、上記クライアント機器から送信された解像度データを受信して上記解像度記憶手段に格納し、
上記解像度制御手段は、映像データを要求してきた出力手段に対応する解像度データを上記解像度記憶手段から読出し、これに基づいて上記解像度変換手段を制御する一方、
上記解像度記憶手段から映像データを要求してきた出力手段に対応する解像度データを読出し、そのデータに基づいて上記解像度変換手段を制御することが不可能な場合は、解像度の低い方から順に解像度データを読出し、これに基づいて上記解像度変換手段を制御することを特徴とするデータ伝送システム。
【請求項２】
所定の解像度を有する映像データが格納されたコンテンツ提供手段と、
上記コンテンツ提供手段から映像データを提供されるサーバ機器と、
上記サーバ機器に伝送路を介して通信可能に接続された複数のクライアント機器と、
上記複数のクライアント機器と一対一に設けられた出力手段と、で構成されるデータ伝送システムにおいて、
上記サーバ機器は、上記映像データの解像度を２以上の所定の解像度に同時に変換可能な解像度変換手段と、上記解像度変換手段を制御する解像度制御手段と、を備え、
上記解像度制御手段は、映像データを要求してきた出力手段の解像度に基づいて、上記解像度変換手段を制御することを特徴とするデータ伝送システム。
【請求項３】
上記サーバ機器は、上記複数の出力手段の解像度データを格納する解像度記憶手段を有し、
上記解像度制御手段は、映像データを要求してきた出力手段に対応する解像度データを上記解像度記憶手段から読出し、これに基づいて上記解像度変換手段を制御する請求項２に記載のデータ伝送システム。
【請求項４】
上記サーバ機器は、上記クライアント機器に接続された出力手段の解像度を取得する解像度データ取得手段を有し、
該解像度データ取得手段は、上記クライアント機器から送信された解像度データを受信して上記解像度記憶手段に格納することを特徴とする請求項３に記載のデータ伝送システム。
【請求項５】
上記解像度制御手段は、上記解像度記憶手段から映像データを要求してきた出力手段に対応する解像度データを読出し、そのデータに基づいて上記解像度変換手段を制御不可能な場合、
解像度の低い方から順に解像度データを読出し、これに基づいて上記解像度変換手段を制御することを特徴とする請求項２から４の何れかに記載のデータ伝送システム。
【請求項６】
所定の解像度を有する映像データが格納されたコンテンツ提供手段に接続され、上記コンテンツ提供手段から映像データを提供される映像データ送信装置であって、
上記映像データの解像度を２以上の所定の解像度に同時に変換可能な解像度変換手段と、上記解像度変換手段を制御する解像度制御手段と、を備え、
上記解像度制御手段は、映像データを要求してきた出力手段の解像度に基づいて、上記解像度変換手段を制御することを特徴とする映像データ送信装置。
【発明の詳細な説明】
【技術分野】
【０００１】
本発明は、無線伝送路を介して高ビットレートの映像データ等を伝送可能なデータ伝送システムに関し、特に、解像度の異なる複数の出力手段のそれぞれに対して最適な解像度の映像データを伝送可能なデータ伝送システムに関する。
【背景技術】
【０００２】
近年、ＤＶＤレコーダやＨＤＤレコーダ、パソコンの普及が目覚ましく、それに伴い個人が家庭で視聴しうるビデオ資産も増えてきてきる。そして、ＤＶＤ／ＨＤＤレコーダやパソコンなどに蓄積された映像情報等のコンテンツを、見たいときに、見たい場所で楽しむということが求められており、ホームネットワークを利用してテレビやパソコンなどのクライアント機器に出力可能とする技術が提案されている。映像データや音声データなどの大量のデータを高速かつリアルタイムに伝送する技術として、例えば、ディジタルテレビ、ディジタルビデオなどの接続用インタフェースにＩＥＥＥ１３９４が採用されている。
【０００３】
また、最近では機器間の接続を簡単にするために、無線ＬＡＮを利用してＤＶＤ／ＨＤＤレコーダやパソコン、液晶モニタなどを接続できるようになっている。この無線ＬＡＮの代表的な技術としては、ＩＥＥＥにおいて標準化されているＩＥＥＥ８０２．１１があり、２．４ＧＨｚ帯を使用するものが主流となっている。２．４ＧＨｚ帯はＩＳＭ（Industrial, Scientific and Medical）バンドとよばれ、産業用や医療用、家庭用の電子レンジなどに使われる周波数帯であり、日本では２．４００〜２．４９７ＧＨｚが無線ＬＡＮに割り当てられている。
【０００４】
上述した無線ＬＡＮを利用したデータ伝送システムは、例えば、ＤＶＤ／ＨＤＤレコーダ等のＡＶソース機器（コンテンツ提供手段）とサーバ機器とを接続し、液晶モニタ等の出力手段とクライアント機器とを接続して構成され、サーバ機器とクライアント機器間で無線通信により映像データ等のデータ伝送を行う。
【０００５】
このようなデータ伝送システムにおいて、コンテンツ提供手段からサーバ機器を介して映像データを出力手段に送信する場合、映像データの解像度を出力手段の解像度に変換して送信する技術が提案されている。
【０００６】
例えば、特許文献１には、医用画像用モニタの解像度、処理速度、メモリ容量、接続されたネットワークの転送レート等の仕様が一定ではない各医療診断支援端末から医用画像の要求があったとき、医療診断支援サーバはこれらの仕様を示すリソース情報に適合するように医用画像を変換した画像を生成して送信するようにした技術が開示されている。
【０００７】
また、特許文献２には、映像出力装置の映像解像度と受信端末の映像解像度が一致しているか否かを判定し、一致していない場合には解像度変換処理を追加する技術が開示されている。
【０００８】
また、特許文献３には、サーバ部は、ホスト部が提供する映像の画質の切換を行う画質管理手段と、映像の送出を指示する映像送出管理手段と、同じ内容で異なる画質の映像を保持する映像保持手段とを備え、端末部は、ホスト部から提供された映像を出力するモニタと、モニタの解像度等の性能を保持するモニタ性能保持手段を備えるようにした技術が開示されている。
【特許文献１】特開２００４−１６４３５７号公報
【特許文献２】特開２００３−４６９７７号
【特許文献３】特開平８−２６５７２２号公報
【発明の開示】
【発明が解決しようとする課題】
【０００９】
しかしながら、上記先願技術は、１つの出力手段の解像度に合わせて映像データの解像度を変換して送信する場合は有効であるが、２以上の異なる解像度の出力手段に同じ映像データを送信する場合に最適であるとはいえない。すなわち、複数の出力手段を有する場合は、何れか一つの出力手段の解像度に基づいて解像度変換されるものと考えられ、それ以外の出力手段においては、表示画面が画面サイズよりも小さく表示されたり、表示範囲からはみ出して表示されたりするという不具合が生じる虞がある。
【００１０】
本発明は、無線伝送路を介して高ビットレートの映像データ等を伝送可能なデータ伝送システムに関し、特に、解像度の異なる複数の出力手段のそれぞれに対して最適な解像度の映像データを伝送可能なデータ伝送システムを提供することを目的とする。
【課題を解決するための手段】
【００１１】
本発明は、上記課題を解決するためになされたものであり、所定の解像度を有する映像データが格納されたコンテンツ提供手段と、上記コンテンツ提供手段から映像データを提供されるサーバ機器と、上記サーバ機器に伝送路を介して通信可能に接続された複数のクライアント機器と、上記複数のクライアント機器と一対一に設けられた出力手段と、で構成されるデータ伝送システムにおいて、上記サーバ機器は、上記映像データの解像度を２以上の所定の解像度に同時に変換可能な解像度変換手段と、上記解像度変換手段を制御する解像度制御手段と、を備え、上記解像度制御手段は、映像データを要求してきた出力手段の解像度に基づいて、上記解像度変換手段を制御することを特徴とする。
【００１２】
また、上記サーバ機器は、上記複数の出力手段の解像度データを格納する解像度記憶手段を有し、上記解像度制御手段は、映像データを要求してきた出力手段に対応する解像度データを上記解像度記憶手段から読出し、これに基づいて上記解像度変換手段を制御するようにした。これにより、映像データを要求してきた出力手段に対して、最適な解像度に変換された映像データを供給することができる。また、出力手段に最適な解像度を一度設定するだけでよいので、ユーザの解像度設定に伴う負担も抑えられる。
【００１３】
また、上記サーバ機器は、上記クライアント機器に接続された出力手段の解像度を取得する解像度データ取得手段を有し、該解像度データ取得手段は、上記クライアント機器から送信された解像度データを受信して上記解像度記憶手段に格納するようにした。例えば、クライアント機器側で、ユーザがリモコン装置を用いて当該クライアント機器に接続されている出力手段の解像度の入力操作を実行することに基づいて、クライアント機器から入力された解像度データがサーバ機器に送信されるようにする。
【００１４】
さらに、上記解像度制御手段は、上記解像度記憶手段から映像データを要求してきた出力手段に対応する解像度データを読出し、そのすべてに基づいて上記解像度変換手段を制御することが不可能な場合は、解像度の低い方から順に解像度データを読出し、これに基づいて上記解像度変換手段を制御するようにした。これにより、すべての出力手段に対して最適な解像度に変換して送信できない場合であっても、受信した映像データの画面サイズが出力手段の画面サイズよりも大きくなり、すべてを表示できなくなるという不具合を回避できる。すなわち、サーバ機器に接続されるクライアント機器の数に合わせて解像度変換手段を設けるようにすればよいが、装置の構造上或いはコストの面で解像度変換手段の数を多くし過ぎるのは望ましくないので、このような場合に生じる不具合を最小限に抑えるようにした。
【発明の効果】
【００１５】
本発明によれば、所定の解像度を有する映像データが格納されたコンテンツ提供手段と、コンテンツ提供手段から映像データを提供されるサーバ機器と、サーバ機器に伝送路を介して通信可能に接続された複数のクライアント機器と、複数のクライアント機器と一対一に設けられた出力手段と、で構成されるデータ伝送システムにおいて、サーバ機器は、映像データの解像度を２以上の所定の解像度に同時に変換可能な解像度変換手段と、解像度変換手段を制御する解像度制御手段と、を備え、解像度制御手段は、映像データを要求してきた出力手段の解像度に基づいて、解像度変換手段を制御するようにしたので、複数の出力手段に対して同時に映像データを送信する場合でもそれぞれの出力手段に最適な解像度に変換した映像データを供給することができる。また、それぞれの出力手段に最適な解像度に変換して映像データを送信するので、解像度が低い場合はデータ量が小さくなり、伝送路における負荷が軽減される。
【発明を実施するための最良の形態】
【００１６】
以下、本発明の好適な実施の形態を図面に基づいて説明する。図１は、本実施形態のデータ伝送システムの概略構成図である。
【００１７】
本実施形態に係るデータ伝送システム１００は、所定の解像度（ＸＧＡ）を有する映像データが格納されたコンテンツ提供装置１０と、コンテンツ提供装置１０から映像データを提供されるサーバ機器２０と、サーバ機器２０に無線伝送路を介して通信可能に接続された複数のクライアント機器３０ａ，３０ｂと、複数のクライアント機器３０ａ，３０ｂと一対一に設けられた液晶モニタ等の出力装置４０ａ，４０ｂと、で構成される。本実施形態では、サーバ機器２０に２つのクライアント機器３０ａ，３０ｂが２．４ＧＨｚ帯の無線ＬＡＮ（ＩＥＥＥ８０２．１１ｇ準拠）を利用して通信可能に接続されている。また、出力装置４０ａ，４０ｂの解像度は、それぞれＶＧＡ（８００×６００ピクセル）とＳＸＧＡ（１２８０×１０２４ピクセル）である。
【００１８】
データ伝送システム１００において、例えば、コンテンツ提供装置１０とサーバ機器２０は所定のケーブルで接続され、アナログ映像データがコンテンツ提供装置１０からサーバ機器２０に供給される。そして、サーバ機器２０において出力装置４０ａ，４０ｂの解像度に合わせて解像度変換されたディジタル映像データがクライアント機器２０ａ，２０ｂに送信される。また、クライアント機器３０ａ，３０ｂはリモコン装置５０ａ，５０ｂからの入力操作に基づいて動作制御される。
【００１９】
コンテンツ提供装置１０には、例えば、解像度がＸＧＡ（１０２４×７２８ピクセル）のディジタル映像データが格納されているものとする。また、コンテンツ提供装置１０は、ＡＶデータ生成部（図示しない）を有し、ハードディスクやＤＶＤ等の記録媒体から映像データを読出し、所定のフォーマットに変換してアナログ映像データとして出力する。
【００２０】
図２は、サーバ機器２０の概略構成図である。図２に示すように、サーバ機器２０は、Ａ／Ｄ変換部２１と、解像度変換部２２と、ＭＰＥＧエンコーダ２３と、無線ＬＡＮ通信部２４と、高周波増幅部２５と、アンテナ２６と、解像度制御部２７と、解像度データ記憶部２８と、サーバ制御部２７と、を有し、コンテンツ提供装置１０から供給された映像データをＭＰＥＧ２準拠のトランスポートストリーム形式でクライアント機器３０に送信する。
【００２１】
Ａ／Ｄ変換部２１は、コンテンツ提供装置１０から送信されたアナログ映像データをディジタル映像データに変換する。
【００２２】
解像度変換部２２は、解像度変換部（Ａ）２２ａと解像度変換部（Ｂ）２２ｂとで構成され、Ａ／Ｄ変換部２１から供給されたディジタル映像データを同時に異なる２つの解像度の映像データに変換可能に構成される。この解像度変換部２２あ、２２ｂにおける解像度変換処理は、後述する解像度制御部２７によって制御される。
【００２３】
ＭＰＥＧエンコーダ２２ａは、解像度変換部（Ａ）２２ａから供給されたディジタル映像データをＭＰＥＧ２方式に従い圧縮符号化し、ＭＰＥＧエンコーダ２２ｂは、解像度変換部（Ｂ）２２ｂから供給されたディジタル映像データをＭＰＥＧ２方式に従い圧縮符号化する。
【００２４】
無線ＬＡＮ通信部２４は、ＭＰＥＧエンコーダ２２ａ，２２ｂから出力されたディジタル映像データに対して、プロトコル処理及び変復調処理を行う。高周波増幅部２５は、ＲＦ信号を高周波増幅しアンテナ２６を介してクライアント機器３０ａ，３０ｂに送信する。例えば、中心周波数が２．４１２ＧＨｚの周波数帯域の通信チャンネルを介してＲＦ信号を送信する。
【００２５】
解像度データ記憶部２８は不揮発性メモリ等で構成され、出力装置４０ａ，４０ｂの解像度データ（ＶＧＡ，ＳＸＧＡ）を格納する。このように、解像度データ記憶部２８に解像度データが格納されるので、ユーザは出力装置４０に最適な解像度を一度設定するだけでよく、ユーザの解像度設定に伴う負担が増大するのを回避できる。
【００２６】
解像度制御部２７は、映像データを要求してきた出力手段４０ａ，４０ｂの解像度に基づいて解像度変換部２２を制御する。具体的には、映像データを要求してきた出力手段４０ａ又は４０ｂに対応する解像度データを解像度データ記憶部２８から読出し、これに基づいて解像度変換部２２ａ，２２ｂを制御する。例えば、出力装置４０ａ，４０ｂから映像データの要求があった場合は、解像度変換部（Ａ）２２ａではＸＧＡ→ＶＧＡの解像度変換を実行し、解像度変換部（Ｂ）２２ｂではＸＧＡ→ＳＸＧＡの解像度変換を実行するように制御する。これにより、映像データを要求してきた出力手段に対して、最適な解像度に変換された映像データを供給することができる。
【００２７】
なお、コンテンツ提供装置１０に格納されている映像データの解像度と出力装置４０の解像度が同じである場合は、解像度を変換する必要はないので解像度変換部２２における解像度変換処理は省略される。また、出力装置４０ａ，４０ｂの両方の解像度が同じ場合（例えばＳＸＧＡ）の場合は、一方の解像度変換部（例えば解像度変換部２２ａ）で解像度変換処理を実行するだけで足りるので、他方の解像度変換部における解像度変換処理は省略される。
【００２８】
サーバ制御部２９は、図示しないＣＰＵと、ＲＡＭと、ＲＯＭと、で構成される。ＲＯＭには、各種制御プログラムが格納されており、ＣＰＵはＲＡＭを作業領域として利用しつつ、ＲＯＭ内の制御プログラムに従って動作する。例えば、サーバ制御部２９は、クライアント機器３０ａ，３０ｂから出力装置４０ａ，４０ｂの解像度データが送信された場合に、出力装置４０ａ，４０ｂに対応してそれぞれの解像度データを解像度データ記憶部２８に格納する解像度データ取得手段として機能する。
【００２９】
図３は、クライアント機器３０の概略構成図である。なお、クライアント機器３０ａ，３０ｂともに構成は同様である。
【００３０】
図３に示すように、クライアント機３０は、アンテナ３１と、高周波増幅部３２と、無線ＬＡＮ通信部３３と、ＭＰＥＧデコーダ３４と、Ｄ／Ａ変換部３５と、リモコン受信部３６と、クライアント制御部３７と、を有し、サーバ機器２０から送信されたディジタル映像データを受信し、出力装置４０に出力する。
【００３１】
アンテナ３１は、サーバ機器２０から通信チャンネルを介して送信されたＲＦ信号を受信して、受信したＲＦ信号を高周波増幅部３２に供給する。高周波増幅部３２は、アンテナ３１により受信されたＲＦ信号を高周波増幅し、無線ＬＡＮ通信部３３に供給する。無線ＬＡＮ通信部３３は、高周波増幅部３２から供給されたディジタル映像データに対してプロトコル処理及び変復調処理を行う。
【００３２】
ＭＰＥＧデコーダ３４は、無線ＬＡＮ通信部３３から供給されたディジタルＡＶデータを伸張復号化する。Ｄ／Ａ変換部３５は、ＭＰＥＧデコーダ３４から供給されたディジタルＡＶデータをアナログ変換し、出力装置４０に出力する。
【００３３】
リモコン受信部３６は、ユーザがリモコン装置５０を操作して送信された信号（例えば赤外線）を受信する。クライアント制御部３７は、図示しないＣＰＵと、ＲＡＭと、ＲＯＭと、で構成される。ＲＯＭには、各種制御プログラムが格納されており、ＣＰＵはＲＡＭを作業領域として利用しつつ、ＲＯＭ内の制御プログラムに従って動作する。例えば、ユーザがリモコン装置５０を用いてクライアント機器３０に接続されている出力装置４０の解像度の入力操作を行ったときに、この解像度データをサーバ機器２０に送信する。
【００３４】
このように、本実施形態では、サーバ機器２０は、映像データの解像度を２つの所定の解像度（例えばＶＧＡとＳＸＧＡ）に同時に変換可能な解像度変換部２２ａ，２２ｂと、解像度変換部２２ａ，２２ｂを制御する解像度制御部２７と、を備え、解像度制御部２７は、映像データを要求してきた出力手段の解像度に基づいて、解像度変換部２２ａ，２２ｂを制御するので、それぞれの出力手段に最適な解像度に変換した映像データを供給することができる。また、ＸＧＡの映像データをＶＧＡに変換する場合のように、低解像度に変換される場合はデータ量が小さくなるので、無線伝送路における負荷が軽減される。
【００３５】
以上、本発明者によってなされた発明を実施形態に基づいて具体的に説明したが、本発明は上記実施形態に限定されるものではなく、その要旨を逸脱しない範囲で変更可能である。
【００３６】
例えば、上記実施形態では、ＩＥＥＥ８０２．１１ｇで規定された２．４ＧＨｚ帯の無線ＬＡＮについて説明したが、その他の伝送技術を利用することもできる。例えば、ＩＥＥＥ８０２．１１ａで規定された５．２ＧＨｚ帯の無線ＬＡＮやＩＥＥＥ８０２．１１ｂで規定された２．４ＧＨｚ帯の無線ＬＡＮ、又は光無線ＬＡＮ等を利用することができる。また、無線伝送技術に限らず有線伝送技術を利用する場合にも適用することができる。
【００３７】
また、上記実施形態ではサーバ機器２０に２つのクライアント機器３０ａ，３０ｂを接続したシステム構成について説明したが、クライアント機器を３つ以上接続した構成とすることもできる。この場合、サーバ機器には、接続されるクライアント機器の数よりも多数の解像度変換部が設けられていれば、すべての出力装置に最適な解像度に映像データを変換することができる。ただし、装置の構造上或いはコストの面で解像度変換部の数を多くし過ぎるのは望ましくない。
【００３８】
そこで、サーバ機器に設けられた解像度変換部の数よりも、サーバ機器に接続されるクライアント機器（すなわち出力装置）の数が多い場合は、すべての出力装置に対して最適となる解像度変換を行うことができない場合があるので、解像度の低い方から順に解像度データを読出し、これに基づいて解像度変換手段を制御するようにしてもよい。例えば、解像度変換部が２つで、解像度がＶＧＡ，ＸＧＡ，ＳＸＧＡの出力装置から映像データの要求があった場合は、映像データをＶＧＡ，ＸＧＡに変換し、ＳＸＧＡの出力装置にはＸＧＡに変換した映像データを送信する。これにより、すべての出力手段に対して最適な解像度に変換して送信できない場合であっても、受信した映像データの画面サイズが出力手段の画面サイズよりも大きくなり、すべてを表示できなくなるという不具合を回避できる。
【図面の簡単な説明】
【００３９】
【図１】本実施形態のデータ伝送システムの概略構成図である。
【図２】サーバ機器２０の概略構成図である。
【図３】クライアント機器３０の概略構成図である。
【符号の説明】
【００４０】
１０  コンテンツ提供装置
２０  サーバ機器
２１  Ａ／Ｄ変換部
２２  解像度変換部
２３  ＭＰＥＧエンコーダ
２４  無線ＬＡＮ通信部
２５  高周波増幅部
２６  アンテナ
２７  解像度制御部
２８  解像度データ記憶部
２９  サーバ制御部
３０  クライアント機器
３１  アンテナ
３２  高周波増幅部
３３  無線ＬＡＮ通信部
３４  ＭＰＥＧデコーダ
３５  Ｄ／Ａ変換部
３６  リモコン受信部
３７  クライアント制御部
４０  出力装置
５０  リモコン装置
【図１】
2006270690.tif 000003
【図２】
2006270690.tif 000004
【図３】
2006270690.tif 000005